(57)【要約】【課題】ＯＣＲ処理において認識対象となる言語が特定されるようにする。【解決手段】画像読取部１６によって原稿がスキャンされて文書データが生成され、ＯＣＲ処理部１８によってその文書データにＯＣＲ処理が適用されて文字データが生成される。また、データの宛先（送信先）が選択される。宛先情報２４において当該宛先にデフォルトのＯＣＲ言語が対応付けられている場合、そのＯＣＲ言語が、ＯＣＲ処理部１８によるＯＣＲ処理において認識対象となる言語として特定される。当該宛先にデフォルトのＯＣＲ言語が対応付けられていない場合、当該宛先に関する宛先情報に基づいて認識対象言語が特定される。【選択図】図２
2017027237.tif 000002
【特許請求の範囲】
【請求項１】
文書データにＯＣＲ処理を適用することにより文字データを生成するＯＣＲ処理手段と、
前記文字データの送信先として選択された宛先にＯＣＲ言語が対応付けられている場合、当該ＯＣＲ言語を前記ＯＣＲ処理において認識対象となる言語として特定する特定手段と、
を有する情報処理装置。
【請求項２】
宛先に関する宛先情報と、当該宛先に対して設定されたＯＣＲ言語を示すＯＣＲ言語情報と、を対応付けて記憶する記憶手段を更に有し、
前記特定手段は、前記文字データの送信先として選択された宛先に対応付けられているＯＣＲ言語を前記認識対象となる言語として特定する、
ことを特徴とする請求項１に記載の情報処理装置。
【請求項３】
前記特定手段は、前記文字データの送信先として選択された宛先にＯＣＲ言語が対応付けられていない場合、前記文字データの宛先に関する宛先情報であって言語の特定が可能な情報を含む宛先情報に基づいて、前記認識対象となる言語を特定する、
ことを特徴とする請求項１又は請求項２に記載の情報処理装置。
【請求項４】
前記特定手段によって前記認識対象となる複数の言語が特定された場合、当該複数の言語を示す情報を、言語の優先順位に従って出力する出力手段を更に有する、
ことを特徴とする請求項３に記載の情報処理装置。
【請求項５】
前記特定手段によって前記認識対象となる複数の言語が特定された場合、当該複数の言語を示す情報を、前記宛先情報に基づく優先順位に従って出力する出力手段を更に有する、
ことを特徴とする請求項３に記載の情報処理装置。
【請求項６】
前記特定手段によって特定された言語をＯＣＲ言語として前記文字データの宛先に対応付けて登録する登録手段を更に有する、
ことを特徴とする請求項３から請求項５のいずれか一項に記載の情報処理装置。
【請求項７】
前記特定手段は、他の装置からファクシミリ送信された前記文書データを受け、前記文書データの送信元を前記宛先として処理することにより、前記認識対象となる言語を特定する、
ことを特徴とする請求項１から請求項６のいずれか一項に記載の情報処理装置。
【請求項８】
前記特定手段は、他の装置からファクシミリ送信された前記文書データを受け、前記文書データの転送先を前記宛先として処理することにより、前記認識対象となる言語を特定する、
ことを特徴とする請求項１から請求項６のいずれか一項に記載の情報処理装置。
【請求項９】
コンピュータを、
文書データにＯＣＲ処理を適用することにより文字データを生成するＯＣＲ処理手段と、
前記文字データの宛先にＯＣＲ言語が対応付けられている場合、当該ＯＣＲ言語を前記ＯＣＲ処理において認識対象となる言語として特定する特定手段と、
として機能させるプログラム。
【発明の詳細な説明】
【技術分野】
【０００１】
本発明は、情報処理装置及びプログラムに関する。
【背景技術】
【０００２】
原稿を読み取る（スキャンする）ことにより文書データを生成し、その文書データに対してＯＣＲ（optical character recognition）処理（光学文字認識処理）を適用する場合がある。また、ファクシミリ送信された文書データに対してＯＣＲ処理を適用する場合もある。
【０００３】
特許文献１に記載の装置においては、原稿画像に配置される宛先、件名及び本文の記載領域の座標情報が記憶されている。スキャンによって得られた文書データから、その座標情報が示す領域の文書データが抽出され、その抽出された文書データに対してＯＣＲ処理が適用される。
【０００４】
特許文献２に記載の装置においては、ファクシミリ送信する際に、受信装置がＯＣＲ機能に対応しているか否かが確認され、受信装置がＯＣＲ機能に対応している場合、ＯＣＲ処理の対象領域が指定される。
【先行技術文献】
【特許文献】
【０００５】
【特許文献１】特開２００５−２４４４１１号公報
【特許文献２】特開２０００−１６５５６９号公報
【発明の概要】
【発明が解決しようとする課題】
【０００６】
ＯＣＲ処理が適用される場合、一般的に、認識対象の言語（例えば、英語、日本語、ベトナム語等）を事前に選択する必要がある。その言語を選択する手法として、対象文書データから認識対象の言語を自動的に特定しようとする技術が知られている。しかし、その特定精度が低い場合があり、また、その特定のために要する処理時間が増大するという問題が生じる。そのため、一般的には、ユーザによって認識対象の言語が指定されている。この場合、ユーザの手間がかかるという問題が生じる。
【０００７】
本発明の目的は、ＯＣＲ処理において認識対象となる言語が、対象文書のデータから認識対象の言語を自動的に特定しようとする場合と比べて、ユーザの手間をかけることなく特定されるようにすることにある。
【課題を解決するための手段】
【０００８】
請求項１に係る発明は、文書データにＯＣＲ処理を適用することにより文字データを生成するＯＣＲ処理手段と、前記文字データの送信先として選択された宛先にＯＣＲ言語が対応付けられている場合、当該ＯＣＲ言語を前記ＯＣＲ処理において認識対象となる言語として特定する特定手段と、を有する情報処理装置である。
【０００９】
請求項２に係る発明は、宛先に関する宛先情報と、当該宛先に対して設定されたＯＣＲ言語を示すＯＣＲ言語情報と、を対応付けて記憶する記憶手段を更に有し、前記特定手段は、前記文字データの送信先として選択された宛先に対応付けられているＯＣＲ言語を前記認識対象となる言語として特定する、ことを特徴とする請求項１に記載の情報処理装置である。
【００１０】
請求項３に係る発明は、前記特定手段は、前記文字データの送信先として選択された宛先にＯＣＲ言語が対応付けられていない場合、前記文字データの宛先に関する宛先情報であって言語の特定が可能な情報を含む宛先情報に基づいて、前記認識対象となる言語を特定する、ことを特徴とする請求項１又は請求項２に記載の情報処理装置。
【００１１】
請求項４に係る発明は、前記特定手段によって前記認識対象となる複数の言語が特定された場合、当該複数の言語を示す情報を、言語の優先順位に従って出力する出力手段を更に有する、ことを特徴とする請求項３に記載の情報処理装置である。
【００１２】
請求項５に係る発明は、前記特定手段によって前記認識対象となる複数の言語が特定された場合、当該複数の言語を示す情報を、前記宛先情報に基づく優先順位に従って出力する出力手段を更に有する、ことを特徴とする請求項３に記載の情報処理装置である。
【００１３】
請求項６に係る発明は、前記特定手段によって特定された言語をＯＣＲ言語として前記文字データの宛先に対応付けて登録する登録手段を更に有する、ことを特徴とする請求項３から請求項５のいずれか一項に記載の情報処理装置である。
【００１４】
請求項７に係る発明は、前記特定手段は、他の装置からファクシミリ送信された前記文書データを受け、前記文書データの送信元を前記宛先として処理することにより、前記認識対象となる言語を特定する、ことを特徴とする請求項１から請求項６のいずれか一項に記載の情報処理装置である。
【００１５】
請求項８に係る発明は、前記特定手段は、他の装置からファクシミリ送信された前記文書データを受け、前記文書データの転送先を前記宛先として処理することにより、前記認識対象となる言語を特定する、ことを特徴とする請求項１から請求項６のいずれか一項に記載の情報処理装置である。
【００１６】
請求項９に係る発明は、コンピュータを、文書データにＯＣＲ処理を適用することにより文字データを生成するＯＣＲ処理手段と、前記文字データの宛先にＯＣＲ言語が対応付けられている場合、当該ＯＣＲ言語を前記ＯＣＲ処理において認識対象となる言語として特定する特定手段と、として機能させるプログラムである。
【発明の効果】
【００１７】
請求項１，２，９に記載の発明によると、ユーザの手間をかけることなくＯＣＲ処理において認識対象となる言語が特定される。
【００１８】
請求項３に記載の発明によると、宛先にＯＣＲ言語が対応付けられていない場合であっても、認識対象の言語が特定される。
【００１９】
請求項４，５に記載の発明によると、認識対象の言語の選択が容易となり得る。
【００２０】
請求項６に記載の発明によると、次回以降においては、宛先に対応付けられた言語が認識対象の言語として使用され得る。
【００２１】
請求項７，８に記載の発明によると、ファクシミリ送信された文書データに対するＯＣＲ処理に適用される言語が特定される。
【図面の簡単な説明】
【００２２】
【図１】本発明の実施形態に係る画像形成システムを示すブロック図である。
【図２】本実施形態に係る画像形成装置を示すブロック図である。
【図３】本実施形態に係る画像形成装置による処理の一例を示すフローチャートである。
【図４】アドレス帳の一例を示す図である。
【図５】画像形成装置の画面の一例を示す図である。
【図６】アドレス帳の別の例を示す図である。
【図７】文字コードと言語の対応関係を説明するための図である。
【図８】画像形成装置の画面の一例を示す図である。
【発明を実施するための形態】
【００２３】
図１には、本発明の実施形態に係る画像処理システムとしての画像形成システムの一例が示されている。画像形成システムは、情報処理装置としての画像形成装置１０を含む。画像形成装置１０は、ネットワーク等の通信経路Ｎに接続されている。また、１又は複数の端末装置（一例として、端末装置１２Ａ，１２Ｂ，１２Ｃ）が通信経路Ｎに接続されている。なお、端末装置１２Ａ，１２Ｂ，１２Ｃを区別する必要がない場合には、これらを「端末装置１２」と称することとする。
【００２４】
情報処理装置としての画像形成装置１０は、スキャン機能（画像読取機能）と、ＯＣＲ（optical character recognition）機能と、他の装置との間でデータを送受信する機能と、を備えている。なお、画像形成装置１０は、スキャン機能以外の機能として、プリンタ機能、コピー機能及びファクシミリ機能の中の少なくとも１つの機能を備えていてもよい。
【００２５】
端末装置１２は、ＰＣ（パーソナルコンピュータ）、タブレットＰＣ、スマートフォン又は携帯電話等の装置であり、他の装置との間でデータを送受信する機能を備えている。
【００２６】
図２には、画像形成装置１０の構成が示されている。
【００２７】
通信部１４は通信インターフェースであり、他の装置にデータを送信する機能、及び、他の装置からデータを受信する機能を備えている。画像読取部１６はスキャナであり、原稿をスキャン（読み取る）ことにより文書データを生成する。文書データは画像データを含む概念であってもよい。
【００２８】
ＯＣＲ処理部１８は、文書データにＯＣＲ処理を適用することにより文字データを生成する。ＯＣＲ処理部１８は、１又は複数の認識対象言語に対応しており、設定された認識対象言語に従ってＯＣＲ処理を実行する。例えば、認識対象言語として「日本語」が設定されると、ＯＣＲ処理部１８は、日本語を認識対象言語としてＯＣＲ処理を実行する。本実施形態では、例えばスキャンによって文書データが生成され、その文書データにＯＣＲ処理が適用されることにより文字データが生成される。そして、文書データと文字データが、宛先として指定された端末装置１２に通信部１４によって送信される。
【００２９】
ＵＩ部２０はユーザインターフェースであり、表示部と操作部とを含む。表示部は、例えば液晶ディスプレイ等の表示装置であり、操作部は、例えば操作パネル等の入力装置である。
【００３０】
記憶部２２はハードディスク等の記憶装置である。記憶部２２には宛先情報２４が記憶されている。この宛先情報２４は、データの宛先（送信先）を示す情報であり、例えば管理者等によって作成されて記憶部２２に記憶される。宛先情報２４には、宛先名、会社名、Ｆａｘ番号、電子メールアドレス、使用されるサーバのアカウント、等の宛先に関する属性情報が含まれており、これらの属性情報が互いに対応付けられている。宛先情報２４には１又は複数の宛先が含まれており、個々の宛先毎に各属性情報が登録されている。また、宛先情報２４には、属性情報として、デフォルトのＯＣＲ言語を示すＯＣＲ言語情報が含まれている場合がある。デフォルトのＯＣＲ言語は、ＯＣＲ処理において認識対象となるデフォルトの言語であり、認識対象言語の候補の一例であるとも言える。例えば、個々の宛先毎にデフォルトのＯＣＲ言語が対応付けられている場合がある。もちろん、宛先にデフォルトのＯＣＲ言語が対応付けられていない場合もある。なお、記憶部２２には文書データ等のデータが記憶されてもよい。
【００３１】
制御部２６は画像形成装置１０の各部の動作を制御する。また、制御部２６は、ＯＣＲ言語特定部２８と登録部３０とを含む。
【００３２】
ＯＣＲ言語特定部２８は、ＯＣＲ処理において認識対象となる言語を特定する機能を備えている。例えば、宛先情報２４において、データの送信先として選択された宛先にデフォルトのＯＣＲ言語が対応付けられている場合、ＯＣＲ言語特定部２８は、そのデフォルトのＯＣＲ言語を認識対象言語として特定する。また、選択された宛先にデフォルトのＯＣＲ言語が対応付けられていない場合、ＯＣＲ言語特定部２８は、宛先情報２４に含まれる属性情報に基づいて認識対象言語を推定する。このＯＣＲ言語特定部２８による処理については、図２以降の図面を参照して詳しく説明する。
【００３３】
登録部３０は、宛先を画像形成装置１０に登録する機能を備えている。例えば、ＵＩ部２０を用いて宛先の各属性情報が管理者等によって入力されると、登録部３０は、入力された属性情報を含む宛先情報２４を記憶部２２に記憶させる。また、登録部３０は、デフォルトのＯＣＲ言語を宛先に登録する機能を備えている。この登録処理により、デフォルトのＯＣＲ言語を示す情報が宛先情報２４に追加される。
【００３４】
ファクシミリ部３２は、他の装置からファクシミリ送信された文書データを受信する機能、他の装置に文書データをファクシミリ送信する機能を備えている。
【００３５】
次に、図３に示されているフローチャートを参照して、画像形成装置１０による処理について説明する。ここでは、スキャンＯＣＲ処理が実行される場合について説明する。スキャンＯＣＲ処理が実行されると、原稿がスキャンされて文書データが生成され、その文書データにＯＣＲ処理が適用されて文字データが生成され、文書データと文字データが、宛先として指定された端末装置１２に送信される。
【００３６】
まず、原稿が画像形成装置１０にセットされ、制御部２６の制御の下、ＵＩ部２０に設定画面が表示される。その設定画面において、ユーザによってスキャンＯＣＲ処理機能が選択される（Ｓ０１）。
【００３７】
次に、制御部２６の制御の下、設定画面にアドレス帳（宛先情報２４）が表示される。そして、そのアドレス帳に含まれる複数の宛先の中から、目的の宛先がユーザによって選択される（Ｓ０２）。
【００３８】
アドレス帳（宛先情報２４）において、その選択された宛先にデフォルトのＯＣＲ言語が対応付けられている場合（Ｓ０３，Ｙｅｓ）、ＯＣＲ言語特定部２８は、そのデフォルトのＯＣＲ言語を、ＯＣＲ処理において認識対象となる言語として特定する（Ｓ０４）。特定された言語を示す情報は、例えば、認識対象言語の候補として設定画面に表示される。
【００３９】
一方、宛先情報２４において、その選択された宛先にデフォルトのＯＣＲ言語が対応付けられていない場合（Ｓ０３，Ｎｏ）、ＯＣＲ言語特定部２８は、その宛先の属性情報（例えば、宛先名、Ｆａｘ番号、電子メールアドレスのドメイン等）に基づいて、認識対象言語を推定する（Ｓ０５）。ＯＣＲ言語特定部２８は、例えば、宛先名等に使用されている文字のコードや電子メールアドレスのドメイン等に基づいて、認識対象言語を推定する。推定された言語を示す情報は、例えば、認識対象言語の候補として設定画面に表示される。宛先の属性情報（例えば、宛先名、Ｆａｘ番号、電子メールアドレスのドメイン等）は、ＯＣＲ言語の特定が可能な情報に相当する。別の例として、選択された宛先に対応付けられているデフォルトのＯＣＲ言語が、ＯＣＲ処理部１８が対応していない言語の場合、ステップＳ０５の処理によって認識対象言語が推定されてもよい。
【００４０】
次に、ユーザによってスキャンＯＣＲ処理の実行が指示されると、画像読取部１６によって原稿がスキャンされ、これにより文書データが生成される（Ｓ０６）。そして、ＯＣＲ処理部１８によって文書データにＯＣＲ処理が適用され、これにより文字データが生成される（Ｓ０７）。一例として、ステップＳ０４又はＳ０５にて特定された言語が認識対象言語として用いられてＯＣＲ処理が実行される。なお、ステップＳ０４又はＳ０５にて言語が特定された場合であっても、その特定された言語以外の言語がユーザによって認識対象言語として指定されてもよい。この場合、ユーザによって指定された言語が認識対象言語として用いられてＯＣＲ処理が実行される。次に、文書データと文字データが、宛先として指定された端末装置１２に送信される（Ｓ０８）。なお、文字データのみが宛先に送信されてもよいし、文書データのみが送信されてもよい。
【００４１】
以上のように、本実施形態では、選択された宛先にデフォルトのＯＣＲ言語が対応付けられている場合、そのデフォルトのＯＣＲ言語が認識対象言語の候補として特定され、ユーザに提示される。また、選択された宛先にデフォルトのＯＣＲ言語が対応付けられていない場合、その宛先の属性情報から認識対象言語の候補が推定され、ユーザに提示される。このように、宛先が選択されることに応じて、認識対象言語が自動的に特定されることになる。また、特定された認識対象言語を用いてＯＣＲ処理が実行された場合、ユーザは認識対象言語を選択せずに済むため、ユーザの手間が軽減される。
【００４２】
以下、具体的な実施例について説明する。
【００４３】
（実施例１）
図４，５を参照して実施例１について説明する。実施例１においては、データの送信先として選択された宛先にデフォルトのＯＣＲ言語が対応付けられているものとする。
【００４４】
図４には、宛先情報２４の一例としてのアドレス帳が示されている。このアドレス帳には、宛先名（宛先の氏名）、姓、名、会社名（宛先の人物が所属する会社の名称）、Ｆａｘ番号、電子メールアドレス、使用されるサーバのアカウント、ＯＣＲ言語、等の宛先に関する属性情報が含まれており、これらの属性情報が互いに対応付けられている。各属性情報は、例えば管理者等によって予め画像形成装置１０に登録される。例えば、ＵＩ部２０に宛先登録画面が表示され、管理者等は、その宛先登録画面上にて宛先毎の各属性情報を入力する。登録部３０は、入力された情報を宛先情報２４として記憶部２２に記憶させる。アドレス帳（宛先情報２４）には１又は複数の宛先が含まれており、個々の宛先毎に各属性情報が登録されている。図４に示されている宛先には、ＯＣＲ言語（一例として日本語）を示すＯＣＲ言語情報が対応付けられている。このＯＣＲ言語は、ＯＣＲ処理に用いられるデフォルトの言語である。このＯＣＲ言語情報は、管理者等によって予め登録された情報である。例えば、個々の宛先毎にＯＣＲ言語が設定され、各宛先にＯＣＲ言語情報が対応付けられている。もちろん、宛先にＯＣＲ言語情報が対応付けられていない場合もある。なお、アドレス帳においては、同一人物に対して複数の宛先が登録されていてもよい。この場合、個々の宛先毎に同一又は異なるデフォルトのＯＣＲ言語が対応付けられていてもよいし、一部の宛先にデフォルトのＯＣＲ言語が対応付けられていてもよい。
【００４５】
図５には、ＵＩ部２０に表示される画面の一例が示されている。例えば、上記のステップＳ０１にてスキャンＯＣＲ処理機能がユーザによって選択されると、設定画面がＵＩ部２０に表示される。図５の（Ａ）には、デフォルトの設定画面の一例が示されている。この設定画面には、制御部２６の制御の下、一例として、宛先欄、解像度欄、用紙サイズ欄、文書データのフォーマット欄、カラーモード欄、圧縮率欄、及び、ＯＣＲ処理欄、等が表示される。宛先欄は、データの送信先である宛先を入力するための欄である。例えば、ユーザがＵＩ部２０を使用して「アドレス帳ボタン」を押下すると、制御部２６によって、アドレス帳（宛先情報２４）に登録されている宛先の一覧が設定画面に表示される。その一覧の中から選択された宛先が、データの送信先として設定される。もちろん、アドレス帳からではなく、ユーザによって宛先が直接入力されてもよい。解像度、用紙サイズ、フォーマット、カラーモード、及び、圧縮率は、スキャン処理条件である。デフォルトの設定画面には、デフォルトのスキャン処理条件を示す情報が表示されており、この条件はユーザによって変更されてもよい。スキャン処理条件の欄に入力された条件に従ってスキャンが実行される。ＯＣＲ処理欄は、ユーザがＯＣＲ処理の実行又は不実行を選択するための欄であるとともに、ユーザが認識対象言語を選択するための欄である。例えばユーザによってＯＣＲ処理欄が指定されると、制御部２６によって、ＯＣＲ処理部１８が対応している認識対象言語の一覧が設定画面に表示される。その一覧の中から選択された言語が、認識対象言語としてＯＣＲ処理部１８に設定される。なお、デフォルトの状態では、ＯＣＲ処理は不実行（ＯＣＲ処理は「しない」）に設定されている。ＯＣＲ処理を文書データに適用する場合には、ユーザがＯＣＲ処理欄を指定し、ＯＣＲ処理を実行（ＯＣＲ処理を「する」）に設定する。これにより、ＯＣＲ処理が文書データに適用されることになる。
【００４６】
図５の（Ｂ）には、宛先選択後の設定画面の一例が示されている。例えば、図４に示されている宛先がユーザによって選択されると、その宛先名（例えば「富士たろう」）が設定画面に表示される。その宛先にはデフォルトのＯＣＲ言語が対応付けられている。この場合、ＯＣＲ言語特定部２８によって、その宛先に対応付けられているデフォルトのＯＣＲ言語が認識対象言語として特定され、そのＯＣＲ言語を示す情報がＯＣＲ処理欄に表示される。デフォルトのＯＣＲ言語は認識対象言語の候補であり、ＯＣＲ処理欄にはその候補を示す情報が表示される。図４に示されている宛先には、デフォルトのＯＣＲ言語として「日本語」が対応付けられているため、「日本語」が認識対象言語として特定され、ＯＣＲ処理欄には文字列「日本語」が表示される。この段階でスキャン実行ボタン（Ｓｃａｎ実行ボタン）がユーザによって押下されると、画像読取部１６によって、スキャン処理条件の欄に入力された条件に従ってスキャンが実行され、これにより文書データが生成される。そして、ＯＣＲ処理部１８によって、その文書データに対してＯＣＲ処理が適用され、これより文字データが生成される。このとき、ＯＣＲ処理欄で指定されたＯＣＲ言語が認識対象言語として用いられる。ＯＣＲ処理欄にデフォルトのＯＣＲ言語が表示されている場合、そのデフォルトのＯＣＲ言語（例えば日本語）が認識対象言語として用いられてＯＣＲ処理が実行される。文字データが生成されると、文書データと文字データが、通信部１４によって、宛先（例えば特定の端末装置１２）に送信される。
【００４７】
以上のように、実施例１においては、宛先にデフォルトのＯＣＲ言語が対応付けられており、そのデフォルトのＯＣＲ言語が、認識対象言語の候補として特定されてユーザに提示される。宛先に対応付けられているＯＣＲ言語は、その宛先にて使用される言語であると推定される。それ故、その宛先に対応付けられているＯＣＲ言語を認識対象言語の候補として提示することにより、宛先にて使用されると想定される言語、つまり宛先の環境に適していると推定されるＯＣＲ言語が、認識対象言語の候補としてユーザに提示される。すなわち、宛先に送信されるデータに適していると推定されるＯＣＲ言語が、ユーザに提示される。また、デフォルトのＯＣＲ言語を用いてＯＣＲ処理が実行された場合、ユーザは認識対象言語を選択せずに済むため、ユーザの手間が軽減される。
【００４８】
（実施例２）
次に、実施例２について説明する。実施例２においては、デフォルトのＯＣＲ言語とは別の言語が認識対象言語として設定される。まず、上記の実施例１で説明したように、デフォルトのＯＣＲ言語（例えば「日本語」）が特定される。この場合において、認識対象言語がユーザによって変更される。例えば、図５の（Ａ）、（Ｂ）に示されている「ＯＣＲ処理欄」がユーザによって指定されると、ＯＣＲ処理部１８が対応している認識対象言語の一覧が設定画面に表示される。その一覧の中からユーザによって認識対象言語が選択された場合、その選択された認識対象言語を用いてＯＣＲ処理が実行される。例えば、認識対象言語の一覧の中に、「英語」、「フランス語」、「ドイツ語」、「ベトナム語」、「ロシア語」、等の言語が含まれており、それらの中から「英語」が選択されたものとする。この場合、「英語」が認識対象言語であり、その認識対象言語を用いてＯＣＲ処理が実行される。
【００４９】
ユーザによって認識対象言語がデフォルトのＯＣＲ言語から他の言語に変更された場合、登録部３０は、変更後の言語を、選択された宛先の新たなデフォルトＯＣＲ言語として登録してもよい。つまり、選択された宛先に対応付けられているデフォルトのＯＣＲ言語が、ユーザによって選択された言語に変更される。この場合、次回以降の処理において、新たなデフォルトのＯＣＲ言語が用いられる。
【００５０】
別の例として、ユーザによって選択された言語をデフォルトのＯＣＲ言語として登録するか否かを、ユーザに確認するようにしてもよい。例えば、ユーザがＵＩ部２０を利用して登録指示を与えると、デフォルトのＯＣＲ言語が、ユーザによって選択された言語に変更される。一方、ユーザによって登録指示が与えられない場合、デフォルトのＯＣＲ言語は変更されない。
【００５１】
（実施例３）
次に、実施例３について説明する。実施例３では、宛先の指定よりも先にＯＣＲ言語が指定されるものとする。例えば、図５の（Ａ）、（Ｂ）に示されている「ＯＣＲ処理欄」がユーザによって指定され、ＯＣＲ処理が実行（ＯＣＲ処理を「する」）に設定され、認識対象言語が指定される。別の例として、ＯＣＲ言語特定部２８は、ＵＩ部２０に表示されている画面に用いられている言語を、認識対象言語として特定してもよい。例えば、画面に用いられている言語が「日本語」である場合、「日本語」が認識対象言語として特定される。ユーザによって指定された言語又は画面の言語を示す情報が、ＯＣＲ処理欄に表示される。次に、アドレス帳（宛先情報２４）から特定の宛先がユーザによって選択された場合、ＯＣＲ言語特定部２８は、以下の処理を実行する。つまり、ＯＣＲ処理が実行（ＯＣＲ処理を「する」）に設定されており、かつ、ユーザによって選択された宛先に対応付けられているデフォルトのＯＣＲ言語が、ＯＣＲ処理欄に表示されているＯＣＲ言語（既に選択されている言語）と異なっている場合、ＯＣＲ言語特定部２８は、確認情報を設定画面に表示させる。例えば、宛先に対応付けられているデフォルトのＯＣＲ言語を認識対象言語として使用するか否かをユーザに確認するための確認情報が、ポップアップ等の態様で設定画面に表示される。ユーザによってデフォルトのＯＣＲ言語が選択された場合には、デフォルトのＯＣＲ言語が認識対象言語として設定され、それ以外の言語（例えば既に選択されている言語や新たに選択された言語等）が選択された場合、それ以外の言語が認識対象言語として設定される。そして、スキャン実行がユーザによって指定されると、上記のようにして設定されたＯＣＲ言語によるＯＣＲ処理が実行される。
【００５２】
（実施例４）
次に、図６から図８を参照して実施例４について説明する。実施例４では、データの送信先として選択された宛先にデフォルトのＯＣＲ言語が対応付けられていないものとする。
【００５３】
図６には、宛先情報２４の一例としてのアドレス帳が示されている。このアドレス帳には、図４に示されているアドレス帳と異なり、ＯＣＲ言語情報が含まれていない。つまり、このアドレス帳に示されている宛先には、デフォルトのＯＣＲ言語が設定されていないことになる。ＯＣＲ言語情報以外の属性情報は、図４に示されている情報と同種の情報である。このように、宛先情報２４に含まれる１又は複数の宛先の中には、デフォルトのＯＣＲ言語が設定されている宛先が含まれている場合もあれば、デフォルトのＯＣＲが設定されていない宛先が含まれている場合もある。もちろん、全ての宛先にデフォルトのＯＣＲ言語が設定されていてもよいし、全ての宛先においてデフォルトのＯＣＲ言語が設定されていなくてもよい。
【００５４】
ユーザによって選択された宛先にデフォルトのＯＣＲ言語が対応付けられていない場合、ＯＣＲ言語特定部２８は、当該宛先の属性情報に基づいて認識対象言語を推定する。具体的には、以下に示す処理１〜３のいずれかの処理によって認識対象言語が推定される。
【００５５】
（処理１）
処理１では、ＯＣＲ言語特定部２８は、当該宛先の属性である「宛先名」、「姓」、「名」、「会社名」に使用されてる言語の文字コード（文字バイト情報）を特定し、その文字コードに基づいて認識対象言語を特定する。図７には、文字コードテーブルの一例が示されている。その文字コードテーブルにおいては、文字コードと言語との対応関係が示されている。この文字コードテーブルは予め作成されて、画像形成装置１０の記憶部２２に予め記憶されている。ＯＣＲ言語特定部２８は、その文字コードテーブルを参照することにより、宛先の属性に使用されている言語を特定し、その言語を認識対象言語として特定する。図６に示す例では、「宛先名」、「姓」及び「名」に使用されている言語は全て日本語であるため、「日本語」が認識対象言語として特定される。特定された言語を示す情報は、認識対象言語の候補として設定画面に表示される。そして、スキャンＯＣＲ処理の実行が指示されると、特定された言語が認識対象言語として用いられてＯＣＲ処理が実行される。もちろん、ユーザによって、特定された言語以外の言語が認識対象言語として選択されてもよい。
【００５６】
（処理２）
上記の処理１において、属性「宛先名」、「姓」、「名」、「会社名」から複数の言語が特定される場合、処理２が実行される。例えば、「宛先名」に使用されている言語が「日本語」であり、「会社名」に使用されている言語が「英語」である場合、「日本語」と「英語」が、認識対象言語の候補として特定されることになる。この場合、優先表示条件に基づく優先順位に従って、特定された各言語を示す情報が、認識対象言語の候補として設定画面に表示される。例えば、認識対象言語の表示順位を示す言語テーブルが予め作成されて記憶部２２に記憶されている。この言語テーブルに登録されている認識対象言語は、ＯＣＲ処理部１８が対応している言語である。制御部２６は、特定された複数の言語を、言語テーブルが示す表示順位に従って設定画面に表示させる。例えば、言語テーブルにおいて、１番に「英語」、２番に「フランス語」、３番に「ドイツ語」、４番に「中国語」、５番に「日本語」が割り当てられているものとする。この言語テーブルに従うと、設定画面には、「英語」、「フランス語」、「ドイツ語」、「中国語」、「日本語」の順番で、各言語を示す情報が認識対象言語の候補として表示される。例えば、「英語」を示す情報が最上位に表示され、その他の言語を示す情報が表示順位に従って表示される。制御部２６は、宛先の属性情報から特定された言語に応じて、言語テーブルに示されている表示順位を変更する。例えば、制御部２６は、宛先の属性情報から特定された言語を上位に表示するよう制御し、特定されなかった言語を下位に表示するよう制御する。具体例を挙げて説明すると、属性「宛先名」に使用されている言語が「日本語」であり、属性「会社名」に使用されている言語が「英語」である場合、制御部２６は、表示順位として、１番に「英語」、２番に「日本語」、３番に「フランス語」、４番に「ドイツ語」、５番に「中国語」を割り当てる。これにより、設定画面には、「英語」、「日本語」、「フランス語」、「ドイツ語」、「中国語」の順番で、各言語を示す情報が認識対象言語の候補として表示される。その結果、元々は５番目に表示されるはずであった「日本語」が２番目に表示され、属性情報から特定されなかった言語がより下位に表示されることになる。
【００５７】
処理２の別の例として、特定された言語が使用されている属性の数に応じて表示順位を変更してもよい。例えば、属性の数が多いほど、当該言語の表示順位を上位に表示する。具体例を挙げて説明すると、属性「宛先名」、「姓」、「名」に使用されている言語が「日本語」であり、「会社名」に使用されている言語が「英語」であるとする。つまり、「日本語」が３つの属性にて使用されており、「英語」が１つの属性に使用されている。この場合、制御部２６は、表示順位として、１番目に「日本語」、２番目に「英語」、３番目に「フランス語」、４番目に「ドイツ語」、５番目に「中国語」を割り当てる。これにより、設定画面には、「日本語」が最上位に表示される。別の例として、言語テーブルに含まれている言語群の中で、ＯＣＲ言語特定部２８によって特定された言語のみが、認識対象言語の候補として表示されてもよい。上記の例では、「日本語」と「英語」を示す情報が認識対象言語の候補として表示され、「フランス語」、「ドイツ語」及び「中国語」を示す情報は表示されない。
【００５８】
なお、宛先の属性情報から１つの言語が認識対象言語として特定された場合も、その言語が優先的に表示されるようにしてもよい。例えば、上述したように言語テーブルに示されている表示順位が変更され、複数の言語の中で、その特定された１つの言語を示す情報が最上位に表示されてもよい。具体例を挙げて説明すると、「日本語」のみが認識対象言語として特定された場合、「日本語」を示す情報が最上位に表示され、他の言語を示す情報が下位に表示される。
【００５９】
（処理３）
処理３では、ＯＣＲ言語特定部２８は、宛先の属性情報として登録されている「電子メールアドレス」のドメインやサーバのドメインに基づいて、認識対象言語を推定する。例えば、ドメインの文字列と言語との対応関係を示すドメインテーブルが予め作成されて記憶部２２に記憶される。ＯＣＲ言語特定部２８は、そのドメインテーブルを参照することにより、登録されている電子メールアドレスやサーバのドメインに対応する言語を、認識対象言語として特定する。具体例を挙げて説明すると、電子メールアドレスのドメインに「．ｊｐ」が含まれている場合、「日本語」が認識対象言語として特定される。また、ドメインに「．ｃｎ」が含まれている場合、「中国語」が認識対象言語として特定され、ドメインに「．ｒｕ」が含まれている場合、「キリル文字」が認識対象言語として特定される。特定された言語を示す情報は、認識対象言語の候補として設定画面に表示される。また、Ｆａｘ番号として国際番号が使用されている場合には、Ｆａｘ番号から言語が特定されてもよい。
【００６０】
例えば、宛先の属性として「宛先名」、「姓」、「名」、「会社名」が登録されていない場合に、処理３が実行される。もちろん、これらが登録されている場合であっても、処理３が実行されてもよい。処理３によって複数の言語が特定された場合には、上記の処理２に従って、各言語を示す情報が優先順位に従って表示されてもよい。また、処理３によって１つの言語のみが特定された場合であっても、その言語を示す情報が上位に表示され、他の言語を示す情報が下位に表示されてもよい。
【００６１】
以下、実施例４について更に詳しく説明する。図８には、ＵＩ部２０に表示される画面の一例が示されている。例えば、上記のステップＳ０１にてスキャンＯＣＲ処理機能がユーザによって選択されると、設定画面がＵＩ部２０に表示される。図８の（Ａ）には、デフォルトの設定画面の一例が示されている。この設定画面は、図５の（Ａ）に示されている画面と同じ画面である。例えば、ユーザがＵＩ部２０を使用して「アドレス帳ボタン」を押下すると、制御部２６によって、アドレス帳（宛先情報２４）に登録されている宛先の一覧が設定画面に表示される。その一覧の中から選択された宛先が、データの送信先として設定される。また、ユーザによってＯＣＲ処理欄が指定されると、制御部２６によって、ＯＣＲ処理部１８が対応している認識対象言語の一覧が設定画面に表示される。例えば、上述した言語テーブルに登録されている認識対象言語の一覧が表示される。その一覧の中から選択された言語が、認識対象言語としてＯＣＲ処理部１８に設定される。ＯＣＲ処理を文書データに適用する場合、ユーザがＯＣＲ処理欄を指定し、ＯＣＲ処理を実行（ＯＣＲ処理を「する」）に設定する。これにより、ＯＣＲ処理が文書データに適用されることになる。
【００６２】
図８の（Ｂ）には、宛先選択後の設定画面の一例が示されている。例えば、図６に示されている宛先がユーザによって選択されると、その宛先名（例えば「富士たろう」）が設定画面に表示される。その宛先にはデフォルトのＯＣＲ言語が対応付けられていない。この場合、上記の処理１〜３が実行されることになる。例えば処理１，３の結果として、「宛先名」や「電子メールアドレス」等から１つの言語が認識対象言語として特定された場合、その特定された言語を示す情報が、認識対象言語の候補としてＯＣＲ処理欄に表示される。また、複数の言語が認識対象言語として特定された場合、処理２の結果として、各言語を示す情報が優先順位に従って表示される。図８の（Ｂ）には、複数の認識対象言語の候補が表示されている。これらは、処理２による優先順位に従って表示されている。例えば、１番目に「日本語」が表示され、２番目に「中国語」が表示され、３番目に「英語」が表示され、４番目に「フランス語」が表示されている。複数の候補の中からユーザによって特定の認識対象言語が選択されると、その選択された認識対象言語がＯＣＲ処理部１８に設定される。そして、ユーザによってスキャン実行ボタンが押下されると、画像読取部１６によってスキャンが実行され、これにより文書データが生成される。そして、ＯＣＲ処理部１８によって、その文書データに対してＯＣＲ処理が適用され、これにより文字データが生成される。このとき、ＯＣＲ処理欄で指定されたＯＣＲ言語が認識対象言語として用いられる。文字データが生成されると、文書データと文字データが、通信部１４によって、宛先（例えば特定の端末装置１２）に送信される。
【００６３】
また、登録部３０は、上記のＯＣＲ処理にて利用された言語を、選択された宛先のデフォルトのＯＣＲ言語として登録してもよい。この場合、宛先の属性情報に、その言語を示す情報が追加される。別の例として、上記のＯＣＲ処理にて利用された言語をデフォルトのＯＣＲ言語として登録するか否かを、ユーザに確認するようにしてもよい。例えば、ユーザがＵＩ部２０を利用して登録指示を与えると、ＯＣＲ処理にて利用された言語が、選択された宛先のデフォルトのＯＣＲ言語として登録される。一方、ユーザによって登録指示が与えられない場合、ＯＣＲ処理にて利用された言語は、デフォルトのＯＣＲ言語として登録されない。
【００６４】
以上のように、実施例４によると、宛先にデフォルトのＯＣＲ言語が対応付けられていない場合、宛先の属性情報から認識対象言語の候補が特定されてユーザに提示される。宛先名やドメイン等から特定される言語は、その宛先にて使用される言語であると推定される。それ故、その宛先の属性情報から特定された言語を示す情報を優先的に提示することにより、宛先にて使用されると想定される言語、つまり宛先の環境に適していると推定されるＯＣＲ言語が、優先的にユーザに提示される。すなわち、宛先に送信されるデータに適していると推定されるＯＣＲ言語が、優先的にユーザに提示される。例えば、「宛先名」や「姓」等の属性に日本語が使用されている場合、その宛先に送信されるデータには日本語が使用されていると推定され、ＯＣＲ言語として日本語が適していると推定される。それ故、宛先の属性情報から特定された言語を認識対象言語の候補として提示することにより、宛先に送信されるデータに適していると推定されるＯＣＲ言語（例えば「日本語」）が、優先的に提示される。また、特定された言語を用いてＯＣＲ処理が実行された場合、ユーザは認識対象言語を選択せずに済むため、ユーザの手間が軽減される。
【００６５】
なお、上記の実施例１〜４ではファクシミリ部３２は利用されないため、ファクシミリ部３２は画像形成装置１０に設けられていなくてもよい。
【００６６】
（実施例５）
次に、実施例５について説明する。実施例５では、他の装置から画像形成装置１０に文書データがファクシミリ送信され、ファクシミリ部３２によってその文書データが受信される。そして、その文書データに対してＯＣＲ処理が適用される。一例として、ファクシミリ受信された文書データとＯＣＲ処理によって生成された文字データが、画像形成装置１０から他の装置（例えば特定の端末装置１２）に送信（転送）される。以下、実施例５について詳しく説明する。
【００６７】
まず、データの転送先の装置が画像形成装置１０に登録される。例えば、制御部２６によって、設定画面がＵＩ部２０に表示される。ユーザは、その設定画面上において、転送先の装置（例えば特定の端末装置１２）の宛先を設定し、ＯＣＲ処理を実行（ＯＣＲ処理を「する」）に設定する。
【００６８】
他の装置からファクシミリ送信された文書データには、当該他の装置を特定するための送信元情報が付帯されている。送信元情報には、例えば、Ｆａｘ番号、送信元名、等が含まれている。ＯＣＲ言語特定部２８は、その送信元情報を参照することにより、ＯＣＲ処理において認識対象となる言語を特定する。例えば、ＯＣＲ言語特定部２８は、宛先情報２４において送信元情報を検索する。宛先情報２４に送信元に対応する宛先が含まれている場合、上記の実施例１〜４に対応する処理が実行される。例えば、送信元情報に含まれるＦａｘ番号と同一のＦａｘ番号が設定された宛先が宛先情報２４に含まれている場合や、送信元情報に含まれる送信元名と同一の宛先名が設定された宛先が宛先情報２４に含まれている場合、その宛先を利用して認識対象言語が特定される。
【００６９】
例えば、送信元に対応する宛先にデフォルトのＯＣＲ言語が対応付けられている場合、上記の実施例１〜３と同様に、ＯＣＲ言語特定部２８は、デフォルトのＯＣＲ言語を認識対象言語として特定する。その他の処理は、実施例１〜３と同様である。つまり、デフォルトのＯＣＲ言語を示す情報が認識対象言語の候補として設定画面に表示される。
【００７０】
一方、送信元に対応する宛先にデフォルトのＯＣＲ言語が対応付けられていない場合、上記の実施例４と同様に、ＯＣＲ言語特定部２８は、その宛先の属性情報に基づいて認識対象言語を特定する。その他の処理は、実施例４と同様である。つまり、１又は複数の言語を示す情報が、認識対象言語の候補として設定画面に表示される。また、優先順位に従って複数の言語を示す情報が表示されてもよい。別の例として、ＯＣＲ言語特定部２８は、特定された複数の言語の中で優先順位が最も高い言語を、認識対象言語として特定してもよい。
【００７１】
認識対象言語がＯＣＲ処理部１８に設定され、ファクシミリ部３２によってファクシミリ受信された文書データに対してＯＣＲ処理が適用される。これにより、文字データが生成される。そして、文書データと文字データは、通信部１４によって宛先（例えば特定の端末装置１２）に送信される。
【００７２】
送信元に対応する宛先に対応付けられているデフォルトのＯＣＲ言語や、送信元の属性情報から特定されたＯＣＲ言語は、その送信元にて使用される言語であると推定される。それ故、これらのＯＣＲ言語を認識対象言語の候補として提示することにより、その送信元から送信された文書データに適していると推定されるＯＣＲ言語が、認識対象言語の候補としてユーザに提示される。例えば、デフォルトのＯＣＲ言語が日本語である場合や、送信元の属性情報から特定された言語が日本語である場合、その送信元からファクシミリ送信された文書データには日本語が使用されていると推定され、ＯＣＲ言語として日本語が適していると推定される。それ故、デフォルトのＯＣＲ言語や宛先の属性情報から特定された言語を、認識対象言語の候補として提示することにより、当該文書データに適していると推定される言語が、提示されることになる。また、特定された言語を用いてＯＣＲ処理が実行された場合、ユーザは認識対象言語を選択せずに済むため、ユーザの手間が軽減される。
【００７３】
（実施例６）
次に、実施例６について説明する。実施例６では、実施例５と同様に、他の装置からファクシミリ送信された文書データにＯＣＲ処理が適用され、文書データと文字データが他の装置（例えば特定の端末装置１２）に送信（転送）される。以下、実施例６について詳しく説明する。
【００７４】
実施例５と同様に、データの転送先に装置が画像形成装置１０に登録される。例えば、ユーザが、ＵＩ部２０に表示された設定画面上において、転送先の装置（例えば特定の端末装置１２）の宛先を設定し、ＯＣＲ処理を実行（ＯＣＲ処理を「する」）に設定する。
【００７５】
ＯＣＲ言語特定部２８は、その転送先（宛先）の情報を利用して認識対象言語を特定する。宛先情報２４において、転送先（宛先）にデフォルトのＯＣＲ言語が対応付けられている場合、上記の実施例１〜３と同様に、デフォルトのＯＣＲ言語が認識対象言語として特定される。その他の処理は、実施例１〜３と同様である。つまり、デフォルトのＯＣＲ言語を示す情報が認識対象言語の候補として設定画面に表示される。
【００７６】
一方、宛先情報２４において、転送先（宛先）にデフォルトのＯＣＲ言語が対応付けられていない場合、上記の実施例４と同様に、その転送先（宛先）の属性情報に基づいて認識対象言語が特定される。その他の処理は、実施例４と同様である。つまり、１又は複数の言語を示す情報が、認識対象言語の候補として設定画面に表示される。また、優先順位に従って複数の言語を示す情報が表示されてもよい。別の例として、特定された複数の言語の中で優先順位が最も高い言語が、認識対象言語として特定されてもよい。
【００７７】
認識対象言語がＯＣＲ処理部１８に設定され、ファクシミリ部３２によってファクシミリ受信された文書データに対してＯＣＲ処理が適用される。これにより、文字データが生成される。そして、文書データと文字データは、通信部１４によって宛先（例えば特定の端末装置１２）に送信される。
【００７８】
転送先に対応付けられているＯＣＲ言語や、転送先の属性情報から特定されたＯＣＲ言語は、その転送先にて使用される言語であると推定される。それ故、これらのＯＣＲ言語を認識対象言語の候補として提示することにより、転送先に転送されるデータに適していると推定されるＯＣＲ言語が、認識対象言語の候補としてユーザに提示される。例えば、デフォルトのＯＣＲ言語が日本語である場合や、転送先の属性情報から特定された言語が日本語である場合、その転送先に転送されるデータには日本語が使用されていると推定され、ＯＣＲ言語として日本語が適していると推定される。それ故、デフォルトのＯＣＲ言語や転送先の属性情報から特定された言語を、認識対象言語の候補として提示することにより、当該文書データに適していると推定される言語が、提示されることになる。また、特定された言語を用いてＯＣＲ処理が実行された場合、ユーザは認識対象言語を選択せずに済むため、ユーザの手間が軽減される。
【００７９】
上記の実施形態においては、宛先に対応付けられたデフォルトのＯＣＲ言語、又は、宛先の属性情報から特定された言語が、認識対象言語の候補として用いられる。これに対して、過去に行われたスキャンＯＣＲ処理の履歴情報を利用して認識対象言語を特定する手法が考えられる。具体的には、履歴情報として、データの過去の送信先（宛先）と、その文書データに対するＯＣＲ処理に用いられた認識対象言語と、を対応付けて管理しておく。そして、新たにスキャンＯＣＲ処理を実行するときには、その履歴情報から宛先に対応する認識対象言語を特定することが考えられる。しかし、過去にスキャンＯＣＲ処理が適用されたことのない宛先、つまり一度もスキャンＯＣＲ処理が適用されたことのない宛先については履歴情報が存在しないため、そのような宛先が指定された場合には、認識対象言語の候補が特定されないことになる。これに対して、本実施形態では仮に履歴情報が存在しない場合であっても、つまり、スキャンＯＣＲ処理の適用が１回目の宛先であっても、認識対象言語の候補が特定される。このように本実施形態によると、履歴情報に依存せずに認識対象言語の候補が特定される。また、個々のスキャンＯＣＲ処理の履歴を管理しようとすると、その履歴情報が膨大となることがあるため、履歴情報を格納するためのメモリの容量を増大する必要がある。これに対して、本実施形態では宛先情報を管理すれば済むため、履歴情報を管理する場合と比べて少ない容量のメモリを用いれば済む。また、ＯＣＲ処理部１８が多数のＯＣＲ言語に対応している場合において、一部のＯＣＲ言語の利用頻度が高く、他のＯＣＲ言語の利用頻度が低い又は他のＯＣＲ言語が全く利用されていない場合、履歴情報によると、当該他のＯＣＲ言語を利用したいときでもその言語が候補として提示されることがない。そのため、ユーザが当該他のＯＣＲ言語を選択することが困難となる。これに対して本実施形態によると、履歴情報によらずに認識対象言語の候補が特定されるので、利用頻度の低い言語であっても認識対象言語の候補として提示される場合がある。そのため、利用頻度の低い言語の選択が容易になる。以上のように、本実施形態によると、履歴情報を用いた場合に生じ得る問題が解消される。履歴情報を用いた場合の問題は、ファクシミリ送信された文書データにＯＣＲ処理を適用する場合においても生じ得る。本実施形態によると、その問題も解消される。
【００８０】
また、本実施形態では、同姓同名の複数の宛先がアドレス帳に登録されている場合であっても、個々の宛先に対応付けられたデフォルトのＯＣＲ言語、又は、個々の宛先の属性情報から特定された言語が、個々の宛先に適用される認識対象言語の候補として特定される。これにより、個々の宛先を区別して、個々の宛先に適した認識対象言語の候補が特定される。
【００８１】
上記の画像形成装置１０，１０Ａは、一例としてハードウェア資源とソフトウェアとの協働により実現される。具体的には、画像形成装置１０，１０Ａは、図示しないＣＰＵ等のプロセッサを備えている。当該プロセッサが、図示しない記憶装置に記憶されたプログラムを読み出して実行することにより、画像形成装置１０，１０Ａの各部の機能が実現される。上記プログラムは、ＣＤやＤＶＤ等の記録媒体を経由して、又は、ネットワーク等の通信経路を経由して、記憶装置に記憶される。または、画像形成装置１０，１０Ａの各部は、例えばプロセッサや電子回路等のハードウェア資源により実現されてもよい。その実現においてメモリ等のデバイスが利用されてもよい。別の例として、画像形成装置１０，１０Ａの各部は、ＤＳＰ（Digital Signal Processor）やＦＰＧＡ（Field Programmable Gate Array）等によって実現されてもよい。
【符号の説明】
【００８２】
１０，１０Ａ  画像形成装置、１６  画像読取部、１８  ＯＣＲ処理部、２４  宛先情報、２６  制御部、２８  ＯＣＲ言語特定部、３０  登録部、３２  ファクシミリ部。
【図１】
2017027237.tif 000003
【図２】
2017027237.tif 000004
【図３】
2017027237.tif 000005
【図４】
2017027237.tif 000006
【図５】
2017027237.tif 000007
【図６】
2017027237.tif 000008
【図７】
2017027237.tif 000009
【図８】
2017027237.tif 000010